(57)【要約】【課題】指定地域の代表語を良好な視認状態で表示することのできる地域代表語表示装置、地域代表語表示方法およびプログラムを得る。【解決手段】携帯電話器３０およびサーバ５０により、代表語の表示対象とする地域（注目地域）の指定を受け付け、注目地域に含まれる位置を示す位置情報を有する文書情報を取得し、当該文書情報から所定の規則で代表語を抽出し、抽出した代表語の数が所定の閾値を超えている場合、当該代表語のうちの何れかの選択指定を受け付け、前記地域の地図を表示すると共に、抽出した代表語の数が前記閾値以下の場合は、前記地図上で、かつ代表語が含まれる文書情報に有される全ての位置情報により示される位置に予め定められた提示情報を表示し、代表語の数が前記閾値を超えている場合は、前記地図上で、かつ受け付けた選択指定により選択された代表語が含まれる文書情報に有される位置情報により示される位置に前記提示情報を表示する。【選択図】図２
2013114616.tif 000002
【特許請求の範囲】
【請求項１】
代表語の表示対象とする地域の指定を受け付ける第１受付手段と、
前記第１受付手段によって受け付けられた前記地域に含まれる位置を示す位置情報を有する文書情報を取得する取得手段と、
前記取得手段によって取得された前記文書情報から予め定められた規則で代表語を抽出する抽出手段と、
前記抽出手段によって抽出された前記代表語の数が予め定められた閾値を超えている場合、当該代表語のうちの何れかの選択指定を受け付ける第２受付手段と、
前記地域の地図を表示すると共に、前記抽出手段によって抽出された前記代表語の数が前記閾値以下である場合は、前記地図上で、かつ前記代表語が含まれる前記文書情報に有される全ての前記位置情報により示される位置に予め定められた提示情報を表示し、前記代表語の数が前記閾値を超えている場合は、前記地図上で、かつ前記第２受付手段によって受け付けられた選択指定により選択された前記代表語が含まれる前記文書情報に有される前記位置情報により示される位置に前記提示情報を表示する表示手段と、
を備えた地域代表語表示装置。
【請求項２】
前記提示情報は、対応する前記代表語の種類毎に異なる情報である
請求項１記載の地域代表語表示装置。
【請求項３】
前記地域の広さに基づいて前記閾値を決定する決定手段をさらに備えた
請求項１または請求項２記載の地域代表語表示装置。
【請求項４】
代表語の表示対象とする地域の指定を受け付ける第１受付ステップと、
前記第１受付ステップによって受け付けられた前記地域に含まれる位置を示す位置情報を有する文書情報を取得する取得ステップと、
前記取得ステップによって取得された前記文書情報から予め定められた規則で代表語を抽出する抽出ステップと、
前記抽出ステップによって抽出された前記代表語の数が予め定められた閾値を超えている場合、当該代表語のうちの何れかの選択指定を受け付ける第２受付ステップと、
前記地域の地図を表示すると共に、前記抽出ステップによって抽出された前記代表語の数が前記閾値以下である場合は、前記地図上で、かつ前記代表語が含まれる前記文書情報に有される全ての前記位置情報により示される位置に予め定められた提示情報を表示し、前記代表語の数が前記閾値を超えている場合は、前記地図上で、かつ前記第２受付ステップによって受け付けられた選択指定により選択された前記代表語が含まれる前記文書情報に有される前記位置情報により示される位置に前記提示情報を表示する表示ステップと、
を有する地域代表語表示方法。
【請求項５】
前記提示情報は、対応する前記代表語の種類毎に異なる情報である
請求項４記載の地域代表語表示方法。
【請求項６】
前記地域の広さに基づいて前記閾値を決定する決定ステップをさらに有する
請求項４または請求項５記載の地域代表語表示方法。
【請求項７】
コンピュータを、請求項１から請求項３の何れか１項記載の地域代表語表示装置として機能させるためのプログラム。
【発明の詳細な説明】
【技術分野】
【０００１】
本発明は、地域代表語表示装置、地域代表語表示方法およびプログラムに係り、特に、地域の特徴や性質等を端的に表す代表語を表示する地域代表語表示装置、地域代表語表示方法およびプログラムに関する。
【背景技術】
【０００２】
近年、ナビゲーション・システムやインターネット等の利用の拡大に伴って、指定した地域における特徴や性質等を端的に把握するためのキーワード（以下、「代表語」という。）を得たいという要望が高まっている。
【０００３】
このような代表語を得るために適用することのできる技術として、特許文献１には、地図の表示範囲を指定する情報を受け付ける表示範囲入力部と、前記表示範囲に含まれる各地点の特徴とその特徴の強さを示す情報を含む地点情報を取得する地点情報取得部と、前記地点情報取得部にて取得した特徴の強さを示す情報と各地点の位置を示す情報とに基づいて、前記表示範囲内に存在する複数の地点をクラスタリングするクラスタリング処理部と、前記指定範囲入力部にて入力された表示範囲を示す地図を表示すると共に、前記クラスタリング処理部によって同じクラスタに分類された複数の地点を包含するエリアを共通特徴エリアとして前記地図上に表示する地図表示部と、を備えた地図表示システムが開示されている。
【０００４】
この特許文献１に開示されている技術では、表示範囲に含まれる各地点に関する記述文書をＷｅｂサーバ等から取得し、表示範囲に紐付けられた文書と、それ以外の範囲に紐付けられた文書における単語の出現頻度の比率を用いて表示範囲に特徴的な単語を代表語として抽出し、地理的距離を考慮して代表語をクラスタリングし、クラスタ毎に表示色を変えて地図上に表示している。
【先行技術文献】
【特許文献】
【０００５】
【特許文献１】特開２００７−２９３８２３号公報
【発明の概要】
【発明が解決しようとする課題】
【０００６】
しかしながら、上記特許文献１に開示されている技術では、クラスタリングによって得られたクラスタ数が多くなるほど画面上に表示される色数が増加してしまい、各代表語の識別が困難となってしまう、という問題点があった。なお、この問題点は、クラスタ別に表示色を変えて表示する場合に限らず、地図上に多くの代表語に関する情報を表示する場合には生じ得る問題点である。
【０００７】
本発明は、上記問題点を解決するためになされたものであり、指定地域の代表語を良好な視認状態で表示することのできる地域代表語表示装置、地域代表語表示方法およびプログラムを提供することを目的とする。
【課題を解決するための手段】
【０００８】
上記目的を達成するために、請求項１に記載の地域代表語表示装置は、代表語の表示対象とする地域の指定を受け付ける第１受付手段と、前記第１受付手段によって受け付けられた前記地域に含まれる位置を示す位置情報を有する文書情報を取得する取得手段と、前記取得手段によって取得された前記文書情報から予め定められた規則で代表語を抽出する抽出手段と、前記抽出手段によって抽出された前記代表語の数が予め定められた閾値を超えている場合、当該代表語のうちの何れかの選択指定を受け付ける第２受付手段と、前記地域の地図を表示すると共に、前記抽出手段によって抽出された前記代表語の数が前記閾値以下である場合は、前記地図上で、かつ前記代表語が含まれる前記文書情報に有される全ての前記位置情報により示される位置に予め定められた提示情報を表示し、前記代表語の数が前記閾値を超えている場合は、前記地図上で、かつ前記第２受付手段によって受け付けられた選択指定により選択された前記代表語が含まれる前記文書情報に有される前記位置情報により示される位置に前記提示情報を表示する表示手段と、を備えている。
【０００９】
請求項１に記載の地域代表語表示装置によれば、第１受付手段により、代表語の表示対象とする地域の指定が受け付けられ、取得手段により、前記第１受付手段によって受け付けられた前記地域に含まれる位置を示す位置情報を有する文書情報が取得され、さらに、抽出手段により、前記取得手段によって取得された前記文書情報から予め定められた規則で代表語が抽出される。
【００１０】
ここで、本発明では、第２受付手段により、前記抽出手段によって抽出された前記代表語の数が予め定められた閾値を超えている場合、当該代表語のうちの何れかの選択指定が受け付けられ、表示手段により、前記地域の地図が表示されると共に、前記抽出手段によって抽出された前記代表語の数が前記閾値以下である場合は、前記地図上で、かつ前記代表語が含まれる前記文書情報に有される全ての前記位置情報により示される位置に予め定められた提示情報が表示され、前記代表語の数が前記閾値を超えている場合は、前記地図上で、かつ前記第２受付手段によって受け付けられた選択指定により選択された前記代表語が含まれる前記文書情報に有される前記位置情報により示される位置に前記提示情報が表示される。
【００１１】
なお、上記第１受付手段および第２受付手段による受付には、キーボード等の入力装置を介した受け付けや、インターネット等の通信回線を介した受け付けが含まれる。
【００１２】
このように、請求項１に記載の地域代表語表示装置によれば、代表語の表示対象とする地域の指定を受け付け、受け付けた前記地域に含まれる位置を示す位置情報を有する文書情報を取得し、取得した前記文書情報から予め定められた規則で代表語を抽出し、抽出した前記代表語の数が予め定められた閾値を超えている場合、当該代表語のうちの何れかの選択指定を受け付け、前記地域の地図を表示すると共に、抽出した前記代表語の数が前記閾値以下である場合は、前記地図上で、かつ前記代表語が含まれる前記文書情報に有される全ての前記位置情報により示される位置に予め定められた提示情報を表示し、前記代表語の数が前記閾値を超えている場合は、前記地図上で、かつ受け付けた選択指定により選択された前記代表語が含まれる前記文書情報に有される前記位置情報により示される位置に前記提示情報を表示しているので、指定地域の代表語を良好な視認状態で表示することができる。
【００１３】
なお、本発明は、請求項２に記載の発明のように、前記提示情報を、対応する前記代表語の種類毎に異なる情報としてもよい。これにより、より良好な視認状態で指定地域の代表語を表示することができる。
【００１４】
また、本発明は、請求項３に記載の発明のように、前記地域の広さに基づいて前記閾値を決定する決定手段をさらに備えてもよい。これにより、より的確に上記閾値を決定することができる結果、より的確に表示状態の切り替えを行うことができる。
【００１５】
一方、上記目的を達成するために、請求項４に記載の地域代表語表示方法は、代表語の表示対象とする地域の指定を受け付ける第１受付ステップと、前記第１受付ステップによって受け付けられた前記地域に含まれる位置を示す位置情報を有する文書情報を取得する取得ステップと、前記取得ステップによって取得された前記文書情報から予め定められた規則で代表語を抽出する抽出ステップと、前記抽出ステップによって抽出された前記代表語の数が予め定められた閾値を超えている場合、当該代表語のうちの何れかの選択指定を受け付ける第２受付ステップと、前記地域の地図を表示すると共に、前記抽出ステップによって抽出された前記代表語の数が前記閾値以下である場合は、前記地図上で、かつ前記代表語が含まれる前記文書情報に有される全ての前記位置情報により示される位置に予め定められた提示情報を表示し、前記代表語の数が前記閾値を超えている場合は、前記地図上で、かつ前記第２受付ステップによって受け付けられた選択指定により選択された前記代表語が含まれる前記文書情報に有される前記位置情報により示される位置に前記提示情報を表示する表示ステップと、を有している。
【００１６】
従って、請求項４に記載の地域代表語表示方法によれば、請求項１に記載の発明と同様に作用するので、請求項１に記載の発明と同様に、指定地域の代表語を良好な視認状態で表示することができる。
【００１７】
なお、本発明は、請求項５に記載の発明のように、前記提示情報を、対応する前記代表語の種類毎に異なる情報としてもよい。これにより、より良好な視認状態で指定地域の代表語を表示することができる。
【００１８】
また、本発明は、請求項６に記載の発明のように、前記地域の広さに基づいて前記閾値を決定する決定ステップをさらに有してもよい。これにより、より的確に上記閾値を決定することができる結果、より的確に表示状態の切り替えを行うことができる。
【００１９】
一方、上記目的を達成するために、請求項７に記載のプログラムは、コンピュータを、請求項１から請求項３の何れか１項記載の地域代表語表示装置として機能させるためのものである。
【００２０】
従って、請求項７に記載のプログラムによれば、コンピュータを本発明の地域代表語表示装置と同様に作用させることができるので、当該装置と同様に、指定地域の代表語を良好な視認状態で表示することができる。
【発明の効果】
【００２１】
請求項１、請求項４、および請求項７に記載の発明によれば、代表語の表示対象とする地域の指定を受け付け、受け付けた前記地域に含まれる位置を示す位置情報を有する文書情報を取得し、取得した前記文書情報から予め定められた規則で代表語を抽出し、抽出した前記代表語の数が予め定められた閾値を超えている場合、当該代表語のうちの何れかの選択指定を受け付け、前記地域の地図を表示すると共に、抽出した前記代表語の数が前記閾値以下である場合は、前記地図上で、かつ前記代表語が含まれる前記文書情報に有される全ての前記位置情報により示される位置に予め定められた提示情報を表示し、前記代表語の数が前記閾値を超えている場合は、前記地図上で、かつ受け付けた選択指定により選択された前記代表語が含まれる前記文書情報に有される前記位置情報により示される位置に前記提示情報を表示しているので、指定地域の代表語を良好な視認状態で表示することができる、という効果が得られる。
【００２２】
また、請求項２および請求項５に記載の発明によれば、前記提示情報を、対応する前記代表語の種類毎に異なる情報としているので、より良好な視認状態で指定地域の代表語を表示することができる、という効果が得られる。
【００２３】
さらに、請求項３および請求項６に記載の発明によれば、前記地域の広さに基づいて前記閾値を決定しているので、より的確に当該閾値を決定することができる結果、より的確に表示状態の切り替えを行うことができる、という効果が得られる。
【図面の簡単な説明】
【００２４】
【図１】実施の形態に係る地域代表語表示システムの構成を示すブロック図である。
【図２】実施の形態に係る地域代表語表示システムの各構成装置の電気的な要部構成を示すブロック図である。
【図３】実施の形態に係るサーバに備えられたＨＤＤの主な記憶内容を示す模式図である。
【図４】実施の形態に係る文書データベースの構成を示す模式図である。
【図５】実施の形態に係る総出現頻度データベースの構成を示す模式図である。
【図６】実施の形態に係る文書ＩＤ一覧データベースの構成を示す模式図である。
【図７】実施の形態に係る単語スコア一覧データベースの構成を示す模式図である。
【図８】実施の形態に係る閾値データベースの構成を示す模式図である。
【図９】実施の形態に係る基本情報蓄積処理プログラムの処理の流れを示すフローチャートである。
【図１０】実施の形態に係る端末装置側で実行されるユーザ側代表語提示処理プログラムの処理の流れを示すフローチャートである。
【図１１】実施の形態に係る初期画面の表示状態の一例を示す概略図である。
【図１２】実施の形態に係る代表語表示処理ルーチン・プログラムの処理の流れを示すフローチャートである。
【図１３】実施の形態に係る全代表語表示画面の表示状態の一例を示す概略図である。
【図１４】実施の形態に係る指定代表語表示画面の表示状態の一例を示す概略図である。
【図１５】実施の形態に係る指定代表語表示画面の表示状態の一例を示す概略図である。
【図１６】実施の形態に係るサーバ側で実行されるサーバ側代表語提示処理プログラムの処理の流れを示すフローチャートである。
【図１７】実施の形態に係る単語別スコア導出処理ルーチン・プログラムの処理の流れを示すフローチャートである。
【発明を実施するための形態】
【００２５】
以下、図面を参照して、本発明を実施するための形態について詳細に説明する。
【００２６】
なお、ここでは、本発明を、ユーザから端末装置等を介して指定された地域（以下、「第１の地域」という。）において、或る程度の広がりを有する比較的狭い領域（スポット）に関する代表語を特定して当該ユーザに提示するサービス（以下、「指定地域代表語提示サービス」という。）を提供するサービス提供者によって運営される地域代表語表示システムに適用した場合の形態例について説明する。
【００２７】
また、ここでいうスポットとは、第１の地域内で、１または複数の店舗や観光名所等が存在する、或る程度の広がりを有する比較的狭い領域のことを意味する。例えば、「横浜市」という第１の地域における、「中華料理屋」が集中した「中華街」という領域等である。また、ここでいう代表語とは、上記スポットに存在する店舗名、当該店舗で提供される商品やサービス名、当該スポットで実施可能なイベント名、行為等である。例えば、「横浜市」という第１の地域の「中華街」というスポットにおける「肉まん」、「○○軒」（中華街に存在する店舗名）等や、「神奈川県」という第１の地域の「三浦海岸」というスポットにおける「海水浴」、「スイカ割り」等がこれに当たる。
【００２８】
まず、図１を参照して、本実施の形態に係る地域代表語表示システム１０の構成について説明する。
【００２９】
同図に示すように、本実施の形態に係る地域代表語表示システム１０は、上記サービス提供者が所有するサーバ５０と、地域代表語表示システム１０の各ユーザが所有する携帯電話器３０および端末装置６０と、を含んで構成されている。ここで、サーバ５０および各端末装置６０は、モデム、ルータ、ＴＡ（Terminal Adapter）等の接続装置９０を介してインターネット１２に接続されている。
【００３０】
本実施の形態に係るサーバ５０はＷＷＷ（World Wide Web）サーバとして機能し、端末装置６０はＷＷＷクライアントとして機能する。
【００３１】
すなわち、各端末装置６０にはＷＷＷブラウザがインストールされており、このＷＷＷブラウザを起動することにより、インターネット１２を介してサーバ５０に任意にアクセスすることができる。このとき、アクセス位置はＵＲＬ（Uniform Resource Locator）で指定される。なお、端末装置６０の識別には、ＩＰ（Internet Protocol）アドレスが用いられるが、ＵＲＬ等の他の位置指定のコードを用いてもよい。
【００３２】
一方、インターネット１２には、各国又は各地域の電話会社が構築・提供する公衆電話網１４がゲートウェイ４０によって相互接続されている。なお、公衆電話網１４には、例えば、ＰＳＴＮ（Public Switched Telephone Network）やＩＳＤＮ（Integrated Services Digital Network）等が含まれる。
【００３３】
また、電話網として、さらに、ＰＨＳ（Personal Handy-phone System）やＷ−ＣＤＭＡ（Wideband-Code Division Multiple Access）など各種無線通信形式の無線電話網１４Ａ、１４Ｂを含んでいる。なお、無線電話網１４Ａ、１４Ｂは、携帯電話器３０に対するデータの送受信機能、発信番号の認証機能等の機能サービスを提供することができる。
【００３４】
なお、地域代表語表示システム１０で対象としている携帯電話器３０は、上記電話会社によって提供されるインターネット接続サービスに対応したものとされており、携帯電話器３０は、インターネット１２に接続されている情報端末装置との間で各種情報の授受を行うことができる。すなわち、携帯電話器３０にもＷＷＷブラウザがインストールされており、このＷＷＷブラウザを起動することにより、インターネット１２を介してサーバ５０に任意にアクセスすることができる。
【００３５】
次に、図２を参照して、本実施の形態に係る地域代表語表示システム１０の電気系の要部構成を説明する。
【００３６】
同図に示すように、本実施の形態に係る携帯電話器３０は、装置全体の動作を司るＣＰＵ（中央処理装置）３０Ａと、制御プログラムを含む各種プログラム等が予め記憶されたＲＯＭ（Read Only Memory）３０Ｂと、各種データを一時的に記憶するＲＡＭ（Random Access Memory）３０Ｃと、を備えている。また、本実施の形態に係る携帯電話器３０は、各種情報が入力される際に操作されるキースイッチ３０Ｄと、対応する無線通信形式で無線通信を行う無線通信部３０Ｅと、各種情報を表示する表示部３０Ｆと、その他の撮影に関する機能等の各種機能を実現するための処理を実行する各種機能部３０Ｇと、を備えている。
【００３７】
ＣＰＵ３０Ａ、ＲＯＭ３０Ｂ、ＲＡＭ３０Ｃ、キースイッチ３０Ｄ、および無線通信部３０Ｅは、システムバスＢ１を介して相互に接続されている。従って、ＣＰＵ３０Ａは、ＲＯＭ３０Ｂ、ＲＡＭ３０Ｃへのアクセスを行うことができる。また、ＣＰＵ３０Ａは、キースイッチ３０Ｄを介して各種情報を入力することができる。さらに、ＣＰＵ３０Ａは、無線通信部３０Ｅを介して公衆電話網１４、インターネット１２等を介してサーバ５０等の外部装置との間で各種情報の送受信を行うことができる。さらに、ＣＰＵ３０Ａは、表示部３０Ｆおよび各種機能部３０Ｇに接続されている。従って、ＣＰＵ３０Ａは、表示部３０Ｆにより各種情報を表示することができると共に、各種機能部３０Ｇの作動を制御することができる。
【００３８】
一方、本実施の形態に係る端末装置６０は、装置全体の動作を司るＣＰＵ６０Ａと、制御プログラムを含む各種プログラム等が予め記憶されたＲＯＭ６０Ｂと、各種データを一時的に記憶するＲＡＭ６０Ｃと、を備えている。また、本実施の形態に係る端末装置６０は、各種情報が入力される際に操作されるキーボード６０Ｄと、インターネット１２を介して外部装置との各種情報の授受を行う入出力ポート６０Ｅと、各種情報を表示する表示部６０Ｆと、各種情報を記憶して保持するＨＤＤ（Hard Disc Drive）６０Ｇと、を備えている。
【００３９】
ＣＰＵ６０Ａ、ＲＯＭ６０Ｂ、ＲＡＭ６０Ｃ、キーボード６０Ｄ、入出力ポート６０Ｅ、表示部６０Ｆ、およびＨＤＤ６０Ｇは、システムバスＢ２を介して相互に接続されている。従って、ＣＰＵ６０Ａは、ＲＯＭ６０Ｂ、ＲＡＭ６０Ｃ、およびＨＤＤ６０Ｇへのアクセス、キーボード６０Ｄを介して入力された各種情報の取得、入出力ポート６０Ｅを介してのインターネット１２に接続された外部装置との間での各種情報の授受、および表示部６０Ｆによる各種情報の表示を各々行うことができる。
【００４０】
一方、本実施の形態に係るサーバ５０は、装置全体の動作を司るＣＰＵ５０Ａと、制御プログラムを含む各種プログラム等が予め記憶されたＲＯＭ５０Ｂと、各種データを一時的に記憶するＲＡＭ５０Ｃと、を備えている。また、本実施の形態に係るサーバ５０は、各種情報が入力される際に操作されるキーボード５０Ｄと、インターネット１２を介して外部装置との各種情報の授受を行う入出力ポート５０Ｅと、各種情報を表示する表示部５０Ｆと、各種情報を記憶して保持するＨＤＤ５０Ｇと、を備えている。
【００４１】
ＣＰＵ５０Ａ、ＲＯＭ５０Ｂ、ＲＡＭ５０Ｃ、キーボード５０Ｄ、入出力ポート５０Ｅ、表示部５０Ｆ、およびＨＤＤ５０Ｇは、システムバスＢ３を介して相互に接続されている。従って、ＣＰＵ５０Ａは、ＲＯＭ５０Ｂ、ＲＡＭ５０Ｃ、およびＨＤＤ５０Ｇへのアクセス、キーボード５０Ｄを介して入力された各種情報の取得、入出力ポート５０Ｅを介してのインターネット１２に接続された外部装置との間での各種情報の授受、および表示部５０Ｆによる各種情報の表示を各々行うことができる。
【００４２】
図３には、サーバ５０に備えられたＨＤＤ５０Ｇの主な記憶内容が模式的に示されている。同図に示すように、ＨＤＤ５０Ｇには、各種データベースを記憶するためのデータベース領域ＤＢと、アプリケーション・プログラム等を記憶するためのプログラム領域ＰＧと、が設けられている。
【００４３】
なお、本実施の形態に係る地域代表語表示システム１０においてデータベース領域ＤＢに記憶されるデータベースには、文書データベースＤＢ１、総出現頻度データベースＤＢ２、文書ＩＤ一覧データベースＤＢ３、単語スコア一覧データベースＤＢ４、および閾値データベースＤＢ５の各データベースが含まれる。以下、これらのデータベースの構成について、図面を参照しつつ詳細に説明する。
【００４４】
図４に示すように、本実施の形態に係る文書データベースＤＢ１は、文書ＩＤ、位置情報、文書情報、および単語の各情報が記憶されるように構成されている。
【００４５】
本実施の形態に係る地域代表語表示システム１０では、サーバ５０により、上記第１の地域に含まれる位置を示す位置情報を有する文書情報（以下、「第１の文書情報」という。）、および予め定められた第２の地域に含まれる位置を示す位置情報を有する文書情報（以下、「第２の文書情報」という。）を取得（検索）して適用する。
【００４６】
なお、本実施の形態に係る地域代表語表示システム１０では、上記第２の地域として、上記第１の地域を含み、かつ当該第１の地域より十分広い領域を適用している。具体的には、第１の地域として日本国内の市区町村単位の地域を適用し、第２の地域として日本を適用しているが、これに限らず、例えば、第１の地域として都道府県単位の地域を適用し、第２の地域として日本を適用する形態や、第１の地域として市区町村単位の地域を適用し、第２の地域として都道府県単位の地域を適用する形態、第１の地域として国単位の地域を適用し、第２の地域として全世界を適用する形態等としてもよい。
【００４７】
文書データベースＤＢ１における「文書ＩＤ」は、上記第２の文書情報の各々に対し、唯一無二の情報として予め付与されたＩＤ（Identification）情報であり、当該第２の文書情報を識別（特定）するために用いられる。また、文書データベースＤＢ１における「位置情報」は、対応する第２の文書情報に有されている位置情報であり、本実施の形態では、当該位置の緯度および経度を示す情報により構成されている。また、文書データベースＤＢ１における「文書情報」は、対応する第２の文書情報の文書本文を示す情報であり、さらに、「単語」は、対応する第２の文書情報により示される文書から抽出された単語を示す情報である。
【００４８】
図４に示す例では、例えば、文書ＩＤとして‘ｄｏｃ１’が付与された第２の文書情報が、緯度が３５．３３２度で、経度が１３９．８８２度の位置に関する情報が記載された文書を示すものであり、当該文書には、‘みなとみらい’、‘夜景’等の単語が含まれていることを示している。
【００４９】
一方、図５に示すように、本実施の形態に係る総出現頻度データベースＤＢ２は、単語および総出現頻度の各情報が記憶されるように構成されている。
【００５０】
上記「単語」は、文書データベースＤＢ１における単語と同一の情報であり、上記「総出現頻度」は、対応する単語が出現する第２の文書情報の総数を示す情報である。図５に示す例では、例えば、‘みなとみらい’との単語が出現する第２の文書情報の総数が１２０であることを示している。
【００５１】
また、図６に示すように、本実施の形態に係る文書ＩＤ一覧データベースＤＢ３は、単語、文書ＩＤ、および出現文書数の各情報が記憶されるように構成されている。
【００５２】
上記「単語」は、文書データベースＤＢ１における単語と同一の情報であり、上記「文書ＩＤ」は、対応する単語が出現する第１の文書情報に付与された文書ＩＤであり、上記「出現文書数」は、対応する単語が出現する第１の文書情報の総数を示す情報である。図６に示す例では、例えば、‘みなとみらい’との単語が出現する第１の文書情報が、文書ＩＤとして‘ｄｏｃ１’、‘ｄｏｃ１２’、・・・が付与されたものであり、それらの第１の文書情報の総数が‘１８’であることを示している。
【００５３】
また、図７に示すように、本実施の形態に係る単語スコア一覧データベースＤＢ４は、単語、スコア、および位置情報の各情報が記憶されるように構成されている。
【００５４】
上記「単語」は、文書データベースＤＢ１における単語と同一のものであり、上記「スコア」は、対応する単語の第１の地域における特徴や性質等を端的に把握することができる程度の高さを示すものとして算出された評価値を示す情報であり、さらに、上記「位置情報」は、対応する単語が含まれる第１の文書情報が有する位置情報である。図７に示す例では、例えば、‘みなとみらい’との単語に対して算出されたスコアが‘スコア１’（実際には、数値情報）であり、当該単語が含まれる第１の文書情報が有する位置情報が、緯度が３５．３３２度で、経度が１３９．８８２度の位置を示す情報等であることを示している。
【００５５】
ところで、本実施の形態に係る地域代表語表示システム１０の指定地域代表語提示サービスでは、スコアが第１の地域の面積に応じて決定される閾値以上である単語のみを当該第１の地域の代表語であるものとして提示する。
【００５６】
そこで、本実施の形態に係る閾値データベースＤＢ５は、図８に示すように、面積および閾値の各情報が記憶されるように構成されている。
【００５７】
上記「面積」は、ユーザによって指定された第１の地域の面積の区分領域を示す情報であり、上記閾値は、対応する面積の区分領域に対応する上記閾値を示す情報である。図８に示す例では、例えば、第１の地域の面積が０ｍ２以上１００ｍ２以下である場合の閾値がＴＨ１（実際には、数値情報）であることを示している。
【００５８】
次に、本実施の形態に係る地域代表語表示システム１０の作用を説明する。なお、ここでは、ユーザ側の装置として携帯電話器３０を用いる場合について説明するが、端末装置６０を用いる場合も同様である。
【００５９】
まず、図９を参照して、指定地域代表語提示サービスの実行に先立ち、文書データベースＤＢ１および総出現頻度データベースＤＢ２を構築する際のサーバ５０の作用を説明する。なお、図９は、予め定められたタイミング（本実施の形態では、キーボード５０Ｄを介して実行する旨の指示入力が行われたタイミング）でサーバ５０のＣＰＵ５０Ａによって実行される基本情報蓄積処理プログラムの処理の流れを示すフローチャートであり、当該プログラムはＨＤＤ５０Ｇのプログラム領域ＰＧに予め記憶されている。
【００６０】
同図のステップＳ１００では、上記第２の地域（本実施の形態では、日本）に含まれる位置を示す位置情報（本実施の形態では、緯度情報および経度情報）を有する文書情報（第２の文書情報）を、インターネット１２を介して検索して取得（ダウンロード）する。本ステップＳ１００の処理により、インターネット上でツイッターやブログ等により作成されている、第２の地域に含まれる位置を示す位置情報を有する第２の文書情報が取得されることになる。
【００６１】
次のステップＳ１０２では、上記ステップＳ１００の処理によって取得した第２の文書情報のうちの何れか１つ（以下、「処理対象文書」という。）から、形態素解析等の従来既知の手法を適用して単語を検出し、次のステップＳ１０４にて、処理対象文書に対して唯一無二の文書ＩＤを付与した後、当該文書ＩＤと、処理対象文書に有された位置情報、当該処理対象文書、および検出した単語を、文書データベースＤＢ１に登録する。
【００６２】
次のステップＳ１０６では、上記ステップＳ１０２の処理によって検出した単語の種類毎に、当該単語が出現する第２の文書情報の数を計数する処理を行って計数値をＲＡＭ５０Ｃの所定領域に記憶し、次のステップＳ１０８では、上記ステップＳ１００の処理によって取得した全ての第２の文書情報について上記ステップＳ１０２〜ステップＳ１０６の処理が終了したか否かを判定して、否定判定となった場合は上記ステップＳ１０２に戻る一方、肯定判定となった時点でステップＳ１１０に移行する。なお、上記ステップＳ１０２からステップＳ１０８までの処理を繰り返し実行する際には、それまでに処理対象としなかった第２の文書情報を処理対象文書として適用する。また、この繰り返し処理の際には、上記ステップＳ１０６において、それまでに上記ステップＳ１０２の処理によって検出された単語の種類別に、当該単語が出現された処理対象文書の数を計数（集計）する。
【００６３】
ステップＳ１１０では、上記ステップＳ１０６の処理によって最終的に得られた単語の種類毎の第２の文書情報の数（総出現頻度）を、対応する単語と共に総出現頻度データベースＤＢ２に登録し、その後に本基本情報蓄積処理プログラムを終了する。
【００６４】
以上の基本情報蓄積処理プログラムにより、一例として図４および図５に示される文書データベースＤＢ１および総出現頻度データベースＤＢ２が構築される。
【００６５】
次に、図１０〜図１７を参照して、指定地域代表語提示サービスを実行する際の本実施の形態に係る地域代表語表示システム１０の作用を説明する。
【００６６】
まず、図１０を参照して、ユーザ側の処理について説明する。なお、図１０は、キースイッチ３０Ｄを介して指定地域代表語提示サービスを実行する旨の指示入力が行われた際に携帯電話器３０のＣＰＵ３０Ａによって実行されるユーザ側代表語提示処理プログラムの処理の流れを示すフローチャートであり、当該プログラムはＲＯＭ３０Ｂの所定領域に予め記憶されている。
【００６７】
同図のステップＳ５００では、予め定められた初期画面を表示するように表示部３０Ｆを制御し、次のステップＳ５０２では、所定情報が入力されるまで待機する。
【００６８】
図１１には、上記ステップＳ５００の処理によって表示部３０Ｆに表示される初期画面の一例が示されている。同図に示すように、本実施の形態に係る初期画面では、代表語の提示対象とする地域（前述した第１の地域に相当し、以下、「注目地域」ともいう。）の指定を促すメッセージと共に、本実施の形態に係る地域代表語表示システム１０で取り扱い対象としている地域（本実施の形態では、第２の地域）の地図が表示される。なお、同図では、前回の指定地域代表語提示サービスの実行で指定された注目地域が含まれる県の地図を表示しているが、これに限らず、例えば、予め指定されている地域（一例として、日本）の地図をデフォルトで表示する形態等としてもよい。
【００６９】
同図に示す初期画面が表示部３０Ｆに表示されると、ユーザは、注目地域の位置を、キースイッチ３０Ｄを介して指定した後、当該初期画面に表示されている「指定終了」ボタンを、キースイッチ３０Ｄを介して指定する。これに応じて、上記ステップＳ５０２が肯定判定となってステップＳ５０４に移行する。
【００７０】
ステップＳ５０４では、ユーザによって指定された注目地域を示す指定地域情報を、無線通信部３０Ｅを介してサーバ５０に送信する。なお、本実施の形態に係る地域代表語表示システム１０では、上記指定地域情報として、指定された注目地域の名称を示す情報を適用しているが、これに限らず、例えば、当該注目地域における隣接する地域との境界線の位置を示す情報や、当該注目地域の外接矩形枠の位置を示す情報等、他の注目地域の位置を示す情報を上記指定地域情報として適用してもよい。
【００７１】
一方、本実施の形態に係るサーバ５０は、何れかのユーザが所有する携帯電話器３０や端末装置６０から上記指定地域情報を受信すると、後述するサーバ側代表語提示処理プログラム（図１６参照。）が実行され、指定された注目地域に関する代表語および当該代表語が抽出された文書情報に有されている位置情報を抽出して、１つずつ指定地域情報の送信元の端末装置に送信すると共に、代表語および位置情報の抽出ないし送信が終了した際に、当該終了したことを示す終了情報を送信する。
【００７２】
そこで、次のステップＳ５０６では、サーバ５０から代表語および位置情報か、または上記終了情報が受信されるまで待機し、次のステップＳ５０８にて、受信した情報が終了情報であったか否かを判定して、否定判定となった場合は代表語および位置情報を受信したと見なしてステップＳ５１０に移行し、受信した代表語および位置情報を関連付けてＲＡＭ３０Ｃの所定領域に記憶した後、上記ステップＳ５０６に戻る一方、肯定判定となった時点でステップＳ５１２に移行する。上記ステップＳ５０６からステップＳ５１０の繰り返し処理によって、サーバ５０から受信した全ての代表語がＲＡＭ３０Ｃに記憶されることになる。
【００７３】
ステップＳ５１２では、代表語表示処理ルーチン・プログラムを実行する。以下、図１２を参照して、本実施の形態に係る代表語表示処理ルーチン・プログラムについて説明する。なお、図１２は、代表語表示処理ルーチン・プログラムの処理の流れを示すフローチャートであり、当該プログラムもＲＯＭ３０Ｂの所定領域に予め記憶されている。
【００７４】
同図のステップＳ５５０では、サーバ５０から受信した代表語の数が予め定められた表示閾値以上であるか否かを判定し、否定判定となった場合はステップＳ５５２に移行する。なお、本実施の形態に係る地域代表語表示システム１０では、上記表示閾値を、注目地域の面積が広くなるほど大きな値となるように導出して設定しているが、これに限らず、表示部３０Ｆにおける表示領域の面積が広くなるほど大きな値となり、表示部３０Ｆに表示する地図が大きくなるほど大きな値となるように導出して適用する形態や、ユーザによって予め設定された閾値を適用する形態等としてもよい。
【００７５】
ステップＳ５５２では、サーバ５０から受信した全ての代表語に関する情報を表示する全代表語表示画面を表示するように表示部３０Ｆを制御し、次のステップＳ５５４にて、所定情報が入力されるまで待機する。
【００７６】
図１３には、上記ステップＳ５５２の処理によって表示部３０Ｆに表示される全代表語表示画面の一例が示されている。同図に示すように、本実施の形態に係る全代表語表示画面では、ユーザによって指定された注目地域の名称および地図が表示されると共に、受信した全ての代表語が一覧形式で表示され、さらに、上記地図上で、かつ各代表語と共に受信した位置情報により示される位置に、予め定められた提示情報が表示される。
【００７７】
なお、本実施の形態に係る地域代表語表示システム１０では、同図に示すように、上記提示情報として、代表語毎に異なるものとして予め定められた記号（同図に示す例では、‘△’、‘□’等）を適用しているが、これに限らず、例えば、代表語そのものを提示情報として適用したり、各代表語に共通の記号やマーク等を適用し、代表語毎に表示色を異ならせたりする形態等としてもよい。
【００７８】
同図に示す全代表語表示画面が表示部３０Ｆに表示されると、ユーザは、表示内容を確認した後、当該全代表語表示画面に表示されている「表示終了」ボタンを、キースイッチ３０Ｄを介して指定する。これに応じて、上記ステップＳ５５４が肯定判定となって本代表語表示処理ルーチン・プログラムを終了する。
【００７９】
一方、上記ステップＳ５５０において肯定判定となった場合は、ステップＳ５５６に移行し、サーバ５０から受信した代表語のうち、ユーザによって指定された代表語に関する提示情報のみを表示する指定代表語表示画面を表示するように表示部３０Ｆを制御し、次のステップＳ５５８にて、所定情報が入力されるまで待機する。
【００８０】
図１４には、上記ステップＳ５５６の処理によって表示部３０Ｆに表示される指定代表語表示画面の一例が示されている。同図に示すように、本実施の形態に係る指定代表語表示画面では、ユーザによって指定された注目地域の名称および地図が表示されると共に、受信した全ての代表語が一覧形式で表示される。
【００８１】
同図に示す指定代表語表示画面が表示部３０Ｆに表示されると、ユーザは、地図上の対応する位置に提示情報を表示させたい代表語がある場合は当該代表語をキースイッチ３０Ｄを介して指定する一方、指定代表語表示画面の表示を終了したい場合には、当該指定代表語表示画面に表示されている「表示終了」ボタンを、キースイッチ３０Ｄを介して指定する。これに応じて、上記ステップＳ５５８が肯定判定となってステップＳ５６０に移行する。
【００８２】
ステップＳ５６０では、指定代表語表示画面上で「表示終了」ボタンが指定されたか否かを判定し、否定判定となった場合は、ユーザによって何れかの代表語が指定されたと見なしてステップＳ５６２に移行し、指定された代表語に対応する提示情報を、当該代表語に関連付けられてＲＡＭ３０Ｃに記憶された位置情報により示される地図上の位置に表示するように指定代表語表示画面を更新した後、上記ステップＳ５５８に戻る。
【００８３】
図１５には、上記ステップＳ５６２の処理によって更新された指定代表語表示画面の一例が示されている。同図に示すように、本実施の形態に係る地域代表語表示システム１０では、ユーザによって指定された代表語（同図に示す例では、「ラーメン」）が指定された状態を示すものとして予め定められた状態（本実施の形態では、網掛け表示）で表示されると共に、当該代表語に対応する提示情報（同図に示す例では、‘△’）が、対応する位置に表示される。なお、上記ステップＳ５５８からステップＳ５６２の処理を繰り返し実行する際に、ステップＳ５６２では、それまでに指定された代表語に関する表示はそのままとした状態で、新たに指定された代表語に関する表示を重ねて行う。
【００８４】
一方、上記ステップＳ５６０において肯定判定となった場合には、本代表語表示処理ルーチン・プログラムを終了する。代表語表示処理ルーチン・プログラムを終了すると、ユーザ側代表語提示処理プログラム（メイン・ルーチン）も終了する。
【００８５】
次に、図１６を参照して、指定地域代表語提示サービスを実行する際のサーバ５０側の処理について説明する。なお、図１６は、何れかのユーザが所有する携帯電話器３０または端末装置６０から前述した指定地域情報を受信した際にサーバ５０のＣＰＵ５０Ａによって実行されるサーバ側代表語提示処理プログラムの処理の流れを示すフローチャートであり、当該プログラムはＨＤＤ５０Ｇのプログラム領域ＰＧに予め記憶されている。
【００８６】
同図のステップＳ６００では、受信した指定地域情報により示される注目地域の領域を特定し、特定した領域の面積を算出する。なお、本実施の形態に係る地域代表語表示システム１０では、上記注目地域の領域の特定を、本実施の形態に係る地域代表語表示システム１０で取り扱い対象としている地域（本実施の形態では、第２の地域）に含まれる、上記第１の地域の単位（本実施の形態では、市区町村の単位）の全ての地域における隣接する地域との境界線の位置を示す位置情報を、対応する地域の名称と関連付けてＲＯＭ５０Ｂ、ＨＤＤ５０Ｇ等の記憶装置に予め記憶しておき、当該記憶装置から、受信した指定地域情報により示される注目地域の名称に対応する位置情報を読み出すことにより行っている。ただし、この形態に限らず、例えば、ユーザ側の携帯電話器３０等から指定地域情報として注目地域の領域を示す情報を送信することとし、受信した指定地域情報そのものを注目地域の領域として特定する形態等としてもよい。
【００８７】
次のステップＳ６０２では、上記ステップＳ６００の処理によって算出した面積に対応する閾値を閾値データベースＤＢ５から読み出し、次のステップＳ６０４にて、上記ステップＳ６００の処理によって特定した注目地域の領域に含まれる位置を示す位置情報に対応する、全ての文書ＩＤ、文書情報（第２の文書情報）および単語を文書データベースＤＢ１から読み出す。
【００８８】
次のステップＳ６０６では、上記ステップＳ６０４の処理によって読み出した全ての第２の文書情報を対象として、上記ステップＳ６０４の処理によって読み出した全ての単語の種類毎に、当該単語が出現する第２の文書情報の数（出現文書数）を計数する。
【００８９】
次のステップＳ６０８では、上記ステップＳ６０６の処理によって得られた単語の種類毎の出現文書数を、出現する第２の文書情報に付与された文書ＩＤおよび対応する単語に関連付けて文書ＩＤ一覧データベースＤＢ３に登録する。本ステップＳ６０８の処理により、一例として図６に示される文書ＩＤ一覧データベースＤＢ３が構築されることになる。
【００９０】
次のステップＳ６１０では、単語別スコア導出処理ルーチン・プログラムを実行する。以下、図１７を参照して、本実施の形態に係る単語別スコア導出処理ルーチン・プログラムについて説明する。なお、図１７は、単語別スコア導出処理ルーチン・プログラムの処理の流れを示すフローチャートであり、当該プログラムもＨＤＤ５０Ｇのプログラム領域ＰＧに予め記憶されている。
【００９１】
同図のステップＳ７００では、文書ＩＤ一覧データベースＤＢ３から１単語分の単語（以下、「処理対象単語」という。）、文書ＩＤ、および出現文書数を読み出し、次のステップＳ７０２では、総出現頻度データベースＤＢ２から処理対象単語に対応する総出現頻度を読み出す。
【００９２】
次のステップＳ７０４では、上記ステップＳ７００の処理によって読み出した全ての文書ＩＤに対応する全ての位置情報を文書データベースＤＢ１から読み出し、次のステップＳ７０６にて、読み出した位置情報により示される全ての位置の分布に対して、距離的な分散値ｓ２を算出する。なお、本第２の実施の形態に係る地域代表語表示システム１０では、上記分散値を次の（１）式により算出する。なお、（１）式におけるｎは読み出した位置情報の組み合わせの数を表し、ｘ’は読み出した位置情報により示される全ての位置の間の距離の平均値を表し、ｘｉはｉ番目の位置情報の組み合わせにより示される位置間の距離を表す。
【００９３】
【数１】
2013114616.tif 000003
【００９４】
なお、上記分散値は、このような位置の分布に対して距離の分散値を算出する形態に限らず、例えば、最も遠い２点間の距離や、予め定められた順位で遠い２点間の距離を用いる形態等、各位置のばらつきの度合いを示す他の値を用いる形態としてもよい。
【００９５】
次のステップＳ７０８では、上記ステップＳ７００の処理によって読み出した出現文書数ｂ、上記ステップＳ７０２の処理によって読み出した総出現頻度Ｂ、および上記ステップＳ７０６の処理によって算出した分散値ｓ２を用いて、次の（２）式により、処理対象単語に対する評価値であるスコアＳを算出する。
【００９６】
【数２】
2013114616.tif 000004
【００９７】
なお、上記（２）式は一例であり、出現文書数ｂの総出現頻度Ｂに対する割合が高くなるほど大きくなり、分散値ｓ２が大きくなるほど小さくなるようにスコアＳを算出することができるものであれば、如何なる演算式も適用可能である。
【００９８】
次のステップＳ７１０では、上記ステップＳ７０８の処理によって算出したスコアＳ、および上記ステップＳ７０４の処理によって読み出した位置情報を処理対象単語と関連付けて単語スコア一覧データベースＤＢ４に登録し、その後に本単語別スコア導出処理ルーチン・プログラムを終了する。
【００９９】
一方、単語別スコア導出処理ルーチン・プログラムが終了すると、サーバ側代表語提示処理プログラム（図１６参照。）のステップＳ６１２に移行し、当該単語別スコア導出処理ルーチン・プログラムによって導出した処理対象単語のスコアが、上記ステップＳ６０２の処理によって取得した閾値以上であるか否かを判定して、肯定判定となった場合はステップＳ６１４に移行する一方、否定判定となった場合には、当該ステップＳ６１４の処理を実行することなく、ステップＳ６１６に移行する。
【０１００】
ステップＳ６１４では、処理対象単語、および当該処理対象単語に対応して単語スコア一覧データベースＤＢ４に登録した位置情報を、注目地域の代表語としてアクセス元の携帯電話器３０に送信し、次のステップＳ６１６にて、文書ＩＤ一覧データベースＤＢ３に登録されている全ての単語について、上記ステップＳ６１０からステップＳ６１４の処理が終了したか否かを判定し、否定判定となった場合は上記ステップＳ６１０に戻る一方、肯定判定となった時点でステップＳ６１８に移行する。なお、上記ステップＳ６１０からステップＳ６１６の処理を繰り返し実行する際に、単語別スコア導出処理ルーチン・プログラムでは、それまでに処理対象としなかった単語を処理対象単語として適用する。この結果、単語別スコア導出処理ルーチン・プログラムにより、一例として図７に示される単語スコア一覧データベースＤＢ４が構築されることになる。
【０１０１】
ステップＳ６１８では、前述した終了情報をアクセス元の携帯電話器３０に送信し、その後に本サーバ側代表語提示処理プログラムを終了する。
【０１０２】
以上詳細に説明したように、本実施の形態では、代表語の表示対象とする地域（注目地域）の指定を受け付け、受け付けた前記地域に含まれる位置を示す位置情報を有する文書情報（本実施の形態では、第１の文書情報）を取得し、取得した前記文書情報から予め定められた規則で代表語を抽出し、抽出した前記代表語の数が予め定められた閾値（本実施の形態では、表示閾値）を超えている場合、当該代表語のうちの何れかの選択指定を受け付け、前記地域の地図を表示すると共に、抽出した前記代表語の数が前記閾値以下である場合は、前記地図上で、かつ前記代表語が含まれる前記文書情報に有される全ての前記位置情報により示される位置に予め定められた提示情報を表示（本実施の形態では、全代表語表示画面による表示）し、前記代表語の数が前記閾値を超えている場合は、前記地図上で、かつ受け付けた選択指定により選択された前記代表語が含まれる前記文書情報に有される前記位置情報により示される位置に前記提示情報を表示（本実施の形態では、指定代表語表示画面による表示）しているので、指定地域の代表語を良好な視認状態で表示することができる。
【０１０３】
また、本実施の形態では、前記提示情報を、対応する前記代表語の種類毎に異なる情報としているので、より良好な視認状態で指定地域の代表語を表示することができる。
【０１０４】
さらに、本実施の形態では、前記地域の広さに基づいて前記閾値を決定しているので、より的確に上記閾値を決定することができる結果、より的確に表示状態の切り替えを行うことができる。
【０１０５】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１０６】
また、上記の実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件の組み合わせにより種々の発明が抽出される。実施の形態に示される全構成要件から幾つかの構成要件が削除されても、効果が得られる限りにおいて、この幾つかの構成要件が削除された構成が発明として抽出され得る。
【０１０７】
例えば、上記実施の形態では、本発明を、コンピュータを利用してソフトウェア構成により実現した場合について説明したが、本発明はこれに限定されるものではなく、例えば、ハードウェア構成や、ハードウェア構成とソフトウェア構成の組み合わせによって本発明を実現してもよい。
【０１０８】
また、上記実施の形態では、本発明の位置情報として緯度および経度の情報を適用した場合について説明したが、本発明はこれに限定されるものではなく、例えば、店名、地名、建造物名等の、対象としている位置を特定することのできる単語を本発明の位置情報として適用する形態としてもよい。この場合、当該単語が記載されている文書情報も本発明の文書情報として適用することができ、より広範囲な文書情報を適用することができる結果、より的確な代表語を抽出ないし提示することができる。
【０１０９】
また、上記実施の形態では、本発明に係る地域代表語表示装置を、ユーザが所有する携帯電話器３０や端末装置６０と、サーバ５０とに分けて別体で構成した場合について説明したが、本発明はこれに限定されるものではなく、例えば、サーバ５０で実行する処理を携帯電話器３０や端末装置６０により実行させることにより、本発明に係る地域代表語表示装置を単体の装置で構成する形態としてもよい。
【０１１０】
また、上記実施の形態では、文書データベースＤＢ１に文書情報そのものを登録する場合について説明したが、本発明はこれに限定されるものではなく、例えば、各文書ＩＤに対して、対応する文書情報に対するリンクを張っておき、単語の抽出を行う場合等に当該文書情報をダウンロードして用いる形態等としてもよい。これにより、文書データベースＤＢ１のための記憶容量を低減することができる。
【０１１１】
また、上記実施の形態で適用した各演算式（（１）式、（２）式）は一例であり、これらの演算式を適宜変更して用いることができることは言うまでもない。
【０１１２】
また、上記実施の形態では、第２の地域として、第１の地域を含み、かつ当該第１の地域より十分広い領域を適用した場合について説明したが、本発明はこれに限定されるものではなく、例えば、第２の地域として、第１の地域を含まない地域を適用してもよく、第１の地域より狭い地域を適用する形態としてもよい。
【０１１３】
また、上記実施の形態では、地図上で注目地域を指定する場合について説明したが、本発明はこれに限定されるものではなく、例えば、注目地域の候補を一覧形式で表示しておき、何れかの注目地域を指定する形態や、注目地域の名称、または位置情報を直接入力する形態等としてもよい。また、ユーザの明示的なキースイッチ３０Ｄ等の押圧操作や定期的な自動更新により、ＧＰＳ（Global Positioning Systems）等からユーザが所有する携帯電話器３０等の端末装置の位置を特定し、当該位置の近傍の矩形領域や円形領域等を注目地域として適用する形態等としてもよい。
【０１１４】
また、上記実施の形態では、注目地域の面積に応じて代表語を抽出する際の閾値を決定する場合について説明したが、本発明はこれに限定されるものではなく、注目地域が細長い領域である場合の閾値を大きくするために、注目地域の領域のうち、最も離れた端点と端点とを結ぶ線分の長さに基づいて上記閾値を決定する形態としてもよい。
【０１１５】
また、上記実施の形態では、文書ＩＤ一覧データベースＤＢ３、単語スコア一覧データベースＤＢ４を構築する場合について説明したが、本発明はこれに限定されるものではなく、これらのデータベースに記憶した情報をＲＡＭ５０Ｃ等の記憶手段に一時的に記憶する形態としてもよい。
【０１１６】
さらに、上記実施の形態で説明した代表語の抽出手法は一例であり、従来既知の如何なる手法も適用することができることは言うまでもない。
【符号の説明】
【０１１７】
１０ 地域代表語表示システム
１２  インターネット
３０  携帯電話器
３０Ａ  ＣＰＵ
３０Ｂ  ＲＯＭ
３０Ｆ  表示部
５０  サーバ
５０Ａ  ＣＰＵ
５０Ｂ  ＲＯＭ
５０Ｆ  表示部
５０Ｇ  ＨＤＤ
６０  端末装置
６０Ａ  ＣＰＵ
６０Ｂ  ＲＯＭ
６０Ｆ  表示部
６０Ｇ  ＨＤＤ
【図１】
2013114616.tif 000005
【図２】
2013114616.tif 000006
【図３】
2013114616.tif 000007
【図４】
2013114616.tif 000008
【図５】
2013114616.tif 000009
【図６】
2013114616.tif 000010
【図７】
2013114616.tif 000011
【図８】
2013114616.tif 000012
【図９】
2013114616.tif 000013
【図１０】
2013114616.tif 000014
【図１１】
2013114616.tif 000015
【図１２】
2013114616.tif 000016
【図１３】
2013114616.tif 000017
【図１４】
2013114616.tif 000018
【図１５】
2013114616.tif 000019
【図１６】
2013114616.tif 000020
【図１７】
2013114616.tif 000021